(57)【要約】    【課題】  根生育体を安定的に保持しつつ、地上部の生育と根の生育を効率的に行い得る植物栽培器及び植物栽培装置の提供。    【解決手段】  根生育体保持部Ｂに保持された根生育体Ｆａに根が生育する栽培対象植物の地上部が生えるために斜め前上方に開口する地上部用開口部Ｃを設ける。水Ｗを受容し得るよう上方に開口し、受容した水Ｗを根生育体保持部Ｂに導入する受容部Ｄを地上部用開口部Ｃと別に区画して後方に設ける。根生育体保持部Ｂの下部に、受容部Ｄから根生育体保持部Ｂに導入された水Ｗを貯留し得る貯留凹部Ｅを設ける。貯留凹部Ｅの後側に、貯留凹部Ｅから溢れる水Ｗを受容する流出凹部Ｈａを設け、流出凹部Ｈａにおける流出孔部Ｈｂを通じて受容部Ｄの水平方向位置の範囲に流下させる。【選択図】      図３
2019149991.tif 000002
【特許請求の範囲】
【請求項１】
根生育体保持部と、その根生育体保持部に保持された根生育体に根が生育する栽培対象植物の地上部が生えるために開口する地上部用開口部を有する植物栽培器であって、
前記地上部用開口部は、前記根生育体保持部に通じており、根生育体保持部に保持された根生育体のうち栽培対象植物の地上部が生える部分を、上方、斜め上方又はほぼ水平方向に開口するものであり、
水性液体を受容し得るよう上方又は斜め上方に開口し、受容した水性液体を前記根生育体保持部に導入する受容部を前記地上部用開口部と別に有し、
前記根生育体保持部の下部に、前記受容部から前記根生育体保持部に導入された水性液体又はその他の水性液体を貯留し得る貯留凹部を有し、
前記貯留凹部の側方に、前記貯留凹部から溢れる水性液体が外部へ流下し得る流出部を有することを特徴とする植物栽培器。
【請求項２】
上記受容部が受容した水性液体が、根生育体保持部に保持された根生育体の上側傾斜面部又は上側平面部に対し導入されるものである請求項１記載の植物栽培器。
【請求項３】
流出部から水系液体が流下する水平方向位置が、受容部が水系液体を受容し得る水平方向範囲内である請求項１又は２記載の植物栽培器。
【請求項４】
上記受容部が、上方又は斜め上方に開口する凹部であり、その凹部内に、根生育体保持部に通じる部分を有するものである請求項１乃至３の何れか１項に記載の植物栽培器。
【請求項５】
上記受容部が、地上部用開口部に対し、植物栽培器に前後がある場合における後方において上方又は斜め上方に開口するものである請求項１乃至４の何れか１項に記載の植物栽培器。
【請求項６】
上記根生育体保持部に根生育体が保持された請求項１乃至５の何れか１項に記載の植物栽培器。
【請求項７】
請求項１乃至６の何れか１項に記載の複数の植物栽培器を上下各位置に設け、上方位置に設けられた植物栽培器の流出部より流下する水性液体を、下方位置の植物栽培器の受容部が受容するように配置してなる植物栽培装置。
【発明の詳細な説明】
【技術分野】
【０００１】
本発明は、建築物の壁面等に配置して用いることができる植物栽培器及び植物栽培装置に関する。
【背景技術】
【０００２】
特開２００６−１２９８４６号公報には、建物の外壁面Ｗに支持させて設けられ、植栽ブロック４がその上に配置される、壁面緑化設備１に使用される植栽ブロック受け皿３であって、灌水を貯留する貯留部３ｈと、植栽ブロックが配置される皿底部３ｄと、皿底部の建物外壁面側縁辺から立設された背板３ａとを備え、背板には、下半部に堰部３ｆが、上半部に外壁面側に向かって傾斜させて受水部３ｇが形成されて植栽ブロック受け皿の発明が記載されている。  しかしながら、植栽ブロックは、皿底部３ｄ上に配置される構成であるため、建物の外壁面Ｗでの使用においては、安定性の点で課題を有する。
【先行技術文献】
【特許文献】
【０００３】
【特許文献１】特開２００６−１２９８４６号公報
【発明の概要】
【発明が解決しようとする課題】
【０００４】
本発明は、根生育体を安定的に保持しつつ、地上部の生育と根の生育を効率的に行い得る植物栽培器及び植物栽培装置を提供することを目的とする。
【課題を解決するための手段】
【０００５】
本発明の植物栽培器及び植物栽培装置は、次のように表すことができる。
【０００６】
(1) 根生育体保持部と、その根生育体保持部に保持された根生育体に根が生育する栽培対象植物の地上部が生えるために開口する地上部用開口部を有する植物栽培器であって、
前記地上部用開口部は、前記根生育体保持部に通じており、根生育体保持部に保持された根生育体のうち栽培対象植物の地上部が生える部分を、上方、斜め上方又はほぼ水平方向に開口するものであり、
水性液体を受容し得るよう上方又は斜め上方に開口し、受容した水性液体を前記根生育体保持部に導入する受容部を前記地上部用開口部と別に有し、
前記根生育体保持部の下部に、前記受容部から前記根生育体保持部に導入された水性液体又はその他の水性液体を貯留し得る貯留凹部を有し、
前記貯留凹部の側方に、前記貯留凹部から溢れる水性液体が外部へ流下し得る流出部を有することを特徴とする植物栽培器。
【０００７】
根生育体保持部に根生育体を保持した状態で、根をその根生育体において生育し、地上部が地上部用開口部を通じて生えるようにして栽培対象植物を生育させることができる。
【０００８】
上方又は斜め上方に開口する受容部より受容した水性液体は根生育体保持部に導入され、対象植物の生育に利用される。地上部が生える地上部用開口部とは別に有する受容部から水性液体を根生育体保持部に導入する構成とすることにより、根生育体を安定的に保持しつつ、地上部の生育と根の生育を効率的に行い得る。
【０００９】
根生育体保持部の下部に、受容部から根生育体保持部に導入された水性液体又はその他の水性液体を貯留し得る貯留凹部を有し、その貯留凹部の側方に、貯留凹部から溢れる水性液体が流下し得る流出部を有するので、余分な水性液体は排出される。
【００１０】
この植物栽培器を上下にそれぞれ設け、上方の植物栽培器の流出部より流下した水性液体が、下方の植物栽培器の受容部が受容するように配置すれば、上方の植物栽培器における余分な水性液体等を下方の植物栽培器において利用して効率的に植物の育成を行うことができる。
【００１１】
(2) 上記受容部が受容した水性液体が、根生育体保持部に保持された根生育体の上側傾斜面部又は上側平面部に対し導入されるものである上記(1)記載の植物栽培器。
【００１２】
(3) 流出部から水系液体が流下する水平方向位置が、受容部が水系液体を受容し得る水平方向範囲内である上記(1)又は(2)記載の植物栽培器。
【００１３】
(4) 上記受容部が、上方又は斜め上方に開口する凹部であり、その凹部内に、根生育体保持部に通じる部分を有するものである上記(1)乃至(3)の何れか１項に記載の植物栽培器。
【００１４】
(5) 上記受容部が、地上部用開口部に対し、植物栽培器に前後がある場合における後方において上方又は斜め上方に開口するものである上記(1)乃至(4)の何れか１項に記載の植物栽培器。
【００１５】
(6) 上記根生育体保持部に根生育体が保持された上記(1)乃至(5)の何れか１項に記載の植物栽培器。
【００１６】
(7) 上記(1)乃至(6)の何れか１項に記載の複数の植物栽培器を上下各位置に設け、上方位置に設けられた植物栽培器の流出部より流下する水性液体を、下方位置の植物栽培器の受容部が受容するように配置してなる植物栽培装置。
【発明の効果】
【００１７】
本発明の植物栽培器及び植物栽培装置においては、上方又は斜め上方に開口する受容部より受容した水性液体が根生育体保持部に導入され、対象植物の生育に利用される。地上部が生える地上部用開口部とは別に有する受容部から水性液体を根生育体保持部に導入する構成とすることにより、根生育体を安定的に保持しつつ、地上部の生育と根の生育を効率的に行い得る。
【００１８】
本発明の植物栽培器を上下にそれぞれ設け、上方の植物栽培器の流出部より流下した水性液体が、下方の植物栽培器の受容部が受容するように配置すれば、上方の植物栽培器における余分な水性液体等を下方の植物栽培器において利用して効率的に植物の育成を行うことができる。
【図面の簡単な説明】
【００１９】
【図１】植物栽培器の上方斜視図である。
【図２】植物栽培器の下方斜視図である。
【図３】植物栽培装置の説明側面図である。
【図４】別の植物栽培器の上方斜視図である。
【発明を実施するための形態】
【００２０】
[1] 本発明の実施の形態を、図面を参照しつつ説明する。
【００２１】
図１乃至図３は、何れも本発明の実施の形態の第１の例としての植物栽培器Ａ及び植物栽培装置Ｒに関するものである。
【００２２】
図４は、本発明の実施の形態の第２の例としての植物栽培器Ｋに関するものである。
【００２３】
(1) 植物栽培器Ａは、平行状に相対する一対の側板部Ｐａの間にわたり、何れも横長平板状をなす下前板部Ｐｂ、下中前板部Ｐｃ、下中後板部Ｐｄ、下後板部Ｐｅ、上後板部Ｐｆ、上中板部Ｐｇ、及び、上前板部Ｐｈが、両側板部Ｐａに対し垂直状に設けられることにより、根生育体保持部Ｂと、地上部用開口部Ｃと、受容部Ｄと、貯留凹部Ｅと、流出凹部Ｈａが形成されてなる。
【００２４】
側板部Ｐａは、両対角線がそれぞれ垂直状及び水平状である略正方形状をなす。
【００２５】
下前板部Ｐｂは、側板部Ｐａの前側（図３における左側）の下辺に沿って、その下辺の上端から、下端よりも上方位置（本例では前記下辺の長さの約２割程度上方位置）にわたる。
【００２６】
下中前板部Ｐｃは、下前板部Ｐｂの下端から、側板部Ｐａの後側（図３における右側）の下辺に対し平行状に（従って下前板部Ｐｂに対し垂直状に）、その下辺の中間位置に対応する位置まで（本例では、前記下辺の長さの約４割程度の長さにわたり）設けられている。
【００２７】
下中後板部Ｐｄは、下中前板部Ｐｃの上端から側板部Ｐａの後側の下辺まで、下中前板部Ｐｃに対し直交状に設けられている。
【００２８】
下後板部Ｐｅは、下中後板部Ｐｄの下端から、側板部Ｐａの後側の下辺に沿ってその下辺の上端にわたり設けられている。
【００２９】
上後板部Ｐｆは、下後板部Ｐｅの上端から、側板部Ｐａの後側の上辺に沿って、その上辺の下端から中間位置（本例では前記上辺の長さの約５割程度の位置）まで設けられている。
【００３０】
上中板部Ｐｇは、上後板部Ｐｆの上端から内側に直交状に折り返すように（従って側板部Ｐａの後側の下辺に対し平行状に）下中後板部Ｐｄと同程度の長さにわたり設けられている。
【００３１】
上前板部Ｐｈは、上中板部Ｐｇの下端から側板部Ｐａの後側の上辺に対し平行状に（従って上中板部Ｐｇに対し直交状に）、側板部Ｐａの前側の上辺まで設けられている。
【００３２】
(2) 植物栽培器Ａは、主として金属製であり、後側の水平方向における３箇所に設けられた取付部材Ｍにおいて、建築物の壁体Ｇに対し固定される。図３は、複数の同一の植物栽培器Ａが水平方向位置が一致するよう上下に並列して固定されることにより植物栽培装置Ｒを構成する態様を示す。
【００３３】
取付部材Ｍは、細長板状材料からなり、後部垂直部が壁体Ｇに固定され、後部垂直部の上端から前方に水平状に延びた先端部が下向きに傾斜して上中板部Ｐｇに結合され、後部垂直部の下端から前方に水平状に延びた先端部が上向きに傾斜して下中後板部Ｐｄに結合されている。
【００３４】
(3) 根生育体は、不規則に集合した繊維が圧縮成形されてなるものであり、第１の例の根生育体Ｆａは、直方体形状の板状をなすものが積層されている。第２の例における根生育体Ｆｂは、略円柱形状をなすものである。
【００３５】
(4) 根生育体保持部Ｂは、両側板部Ｐａ間において、下前板部Ｐｂ、下中前板部Ｐｃ、下中後板部Ｐｄ、下後板部Ｐｅ、上後板部Ｐｆ、上中板部Ｐｇ、及び、上前板部Ｐｈにより囲まれ、斜め前上方に地上部用開口部Ｃを開口する。
【００３６】
根生育体保持部Ｂは、根生育体Ｆａを、栽培対象植物の根がその根生育体Ｆａに生育した状態及びその栽培対象植物の地上部が生育した状態を含めて、植物栽培器Ａに保持し得る。
【００３７】
(5) 根生育体保持部Ｂの下部のうち、下中前板部Ｐｃと下前板部Ｐｂの下部による、垂直横断面が、頂角が下端に位置し底辺が水平状をなす直角二等辺三角形状をなす部分は、受容部Ｄから根生育体保持部Ｂに導入された水Ｗ（水以外の水系液体であってもよい）又はその他の水性液体を貯留し得る貯留凹部Ｅを構成する。
【００３８】
(6) 地上部用開口部Ｃは、根生育体保持部Ｂに保持された根生育体Ｆａに根が生育する栽培対象植物の地上部が生えるために開口するものであり、根生育体保持部Ｂに保持された根生育体Ｆａのうち栽培対象植物の地上部が生える部分を斜め前上方に開口する。
【００３９】
(7) 受容部Ｄは、両側板部Ｐａ間において、上前板部Ｐｈの後上面と上中板部Ｐｇの前上面により形成された凹部であり、地上部用開口部Ｃと別に上前板部Ｐｈにより区画された地上部用開口部Ｃに対し後方において、植物栽培器Ａの上方から水Ｗを受容し得るよう、ほぼ上方に開口する。受容部Ｄの上下方向位置は、地上部用開口部Ｃ及び根生育体保持部Ｂの上部と同等である。
【００４０】
上前板部Ｐｈと上中板部Ｐｇにわたる部分の水平方向における間隔おき（本例においては等間隔おき）の複数個所に、受容部Ｄに受容した水Ｗを根生育体保持部Ｂに保持された根生育体Ｆａの上側傾斜面部に導入する導入孔部Ｄａが設けられている。
【００４１】
(8) 植物栽培装置Ｒの最上部の植物栽培器Ａにおける両側板部Ｐａのうち受容部Ｄの上方に対応する位置に、それぞれ潅水パイプ保持部Ｐｎが設けられ、両潅水パイプ保持部Ｐｎにわたり潅水パイプＴが保持されている。
【００４２】
このように保持された潅水パイプＴにより潅水される水Ｗは、受容部Ｄに受容され、導入孔部Ｄａを通じて根生育体Ｆａの上側傾斜面部に導入されることにより、栽培対象植物の生育に利用される。
【００４３】
図３における潅水パイプ保持部Ｐｎは、側板部Ｐａの後側の上辺に対し切欠状に形成されているが、図１及び図２においては、側板部Ｐａに貫通孔として潅水パイプ保持部Ｐｎが形成されている。なお、図４の植物栽培器Ｋは、このような潅水パイプ保持部を有しない。
【００４４】
(9) 貯留凹部Ｅの後側には、流出凹部Ｈａを有する。貯留凹部Ｅ及び流出凹部Ｈａには、両者の境界部を含めて水漏れ防止処理が施されている。
【００４５】
流出凹部Ｈａは、下中後板部Ｐｄと下後板部Ｐｅの下部により形成され、垂直横断面が、頂角が下端に位置し底辺が水平な直角二等辺三角形状をなす。根生育体Ｆａは、流出凹部Ｈａには位置しないように根生育体保持部Ｂに保持されている。
【００４６】
流出凹部Ｈａにおける下中後板部Ｐｄの下部には、水平方向における間隔おき（本例においては等間隔おき）の複数個所に、流出孔部Ｈｂが形成されている。
【００４７】
根生育体保持部Ｂ内において貯留凹部Ｅから溢れる水Ｗは、後側に隣接する流出凹部Ｈａに受容され、流出孔部Ｈｂを通じて外部へ流下する。
【００４８】
流出孔部Ｈｂから水Ｗが流下する水平方向位置は、受容部Ｄが水Ｗを受容し得る水平方向範囲内である。
【００４９】
図３に示されるように、上方位置に設けられた植物栽培器Ａの流出孔部Ｈｂより流下する余分な水Ｗを、下方位置の植物栽培器Ａの受容部Ｄが受容するように上下の植物栽培器Ａを配置することにより、効率的に植物の育成を行うことができる。例えば、上部（例えば最上部）の植物栽培器Ａに潅水パイプＴを設けて適量の潅水を行うことにより、上部の植物栽培器Ａの受容部Ｄが受容した水Ｗを、その植物栽培器Ａにおける根生育体Ｆａに導入して植物育成に利用し、余分な水Ｗを貯留凹部Ｅ、流出凹部Ｈａ及び流出孔部Ｈｂを経て下方の植物栽培器Ａの受容部Ｄが受容することにより、順次下方の植物栽培器Ａにおいても植物育成に利用することができる。
【００５０】
[2] 本発明の実施の形態を、上記以外の形態を含めて更に説明する。
【００５１】
(1) 本発明の植物栽培器は、根生育体保持部と、地上部用開口部と、受容部と、貯留凹部と、流出部を有する。
【００５２】
本発明の植物栽培器は、例えば、合成樹脂、金属又はセラミックスからなるものとすることができるが、これらに限るものではない。
【００５３】
本発明の植物栽培器は、例えば、各種の支持体により支持して使用すること、建築物の壁面等の被取付体に直接取り付けて使用すること、又は、建築物の壁面等の被取付体に支持材を取り付け、その支持材により植物栽培器を支持して使用するものとすることができる。
【００５４】
(2) 根生育体保持部に保持される根生育体は、その根生育体保持部に応じた形状及び大きさとすることができる。根生育体の形状は、例えば、直方体形状、は立方体形状又は円柱形状などとすることができ、これらを複数集成（例えば積層）させて用いることもできるが、これに限るものではない。
【００５５】
根生育体は、栽培対象植物の根が生育し得るものである。根生育体の例としては、不規則に集合した繊維（繊維の種類は特に問わない。椰子殻繊維、ジュート、ケナフ、木綿等の各種天然繊維、ポリエステル系、ポリアミド系、ポリアクリル系等の各種合成繊維、或いはその他の繊維を用い得る。）からなるもの、特に、不規則に集合した繊維を、圧縮成形したもの、圧縮成形すると共にニードルパンチやバインダー繊維の含有及び溶融により繊維成形物の保形性を高めたもの、不織布、不織布を重積したもの、不織布製・織布製又はその他の布製の上方若しくは斜め上方開口の袋（好ましくは、土壌や人工土壌が漏出し難く水系液体が透過し得るもの）内に土壌（好ましくは人工軽量土壌）を収容したもの、その他の各種植物根生育材料を挙げることができる。
【００５６】
(3) 根生育体保持部は、根生育体を、栽培対象植物の根がその根生育体に生育した状態及びその栽培対象植物の地上部が生育した状態を含めて、植物栽培器に保持するためのものである。
【００５７】
根生育体保持部の下部には、受容部から根生育体保持部に導入された水性液体（水、水溶液、水分散液等）又はその他の水性液体（雨水等のその他の由来のもの）を貯留し得る貯留凹部を有する。
【００５８】
根生育体保持部の下部における、根の育成のために必要な程度の水系液体を貯留し得る所定の高さまでの部分が、水系液体を貯留し得る貯留凹部を構成する。貯留凹部については、必要に応じ水漏れ防止処理を施すものとすることができる。
【００５９】
(4) 地上部用開口部は、根生育体保持部に保持された根生育体に根が生育する栽培対象植物の地上部が生えるために開口するものであり、根生育体保持部に通じており、根生育体保持部に保持された根生育体のうち栽培対象植物の地上部（地上部というのは、例えば、地上茎、葉、花等である。）が生える部分を、上方、斜め上方又はほぼ水平方向に開口するものである。
【００６０】
地上部用開口部は、例えば根生育体保持部の所定部分の上方、斜め上方又はほぼ水平方向に開口するものとすること、或いは、例えば、根生育体保持部の所定部分から上方、斜め上方又はほぼ水平方向に離隔した位置において上方、斜め上方又はほぼ水平方向に開口するものとすることができる。
【００６１】
根生育体保持部に保持された根生育体に根が生育する栽培対象植物の地上部は、地上部用開口部から外部に向かって又は地上部用開口部内において生育し得るものとすることができる。
【００６２】
(5) 受容部は、地上部用開口部と別に（例えば別に区画され、例えば、植物栽培器に前後がある場合［例えば被取付体に取り付けられる側が後側である場合や、地上部用開口部が位置する側が前側である場合等］、地上部用開口部に対し後方において、又は左方若しくは右方において）植物栽培器の外部（特に上方）から水性液体を受容し得るよう上方又は斜め上方に開口し、受容した水性液体を前記根生育体保持部に導入するものであり、受容部は根生育体保持部（又は根生育体保持部に保持された根生育体）に（例えば開口部等により直接に又は導水路等を介して）通じるよう構成されている。
【００６３】
受容部に対しては、水系液体を供給する潅水手段を設けることができる。受容部に対し各種潅水手段等により水系液体を適切に供給することにより、根生育体に水分を共有して栽培対象植物を適切に栽培することが可能である。
【００６４】
受容部は、受容した水性液体を根生育体保持部に保持された根生育体の上側傾斜面部又は上側平面部に対し導入されるものとすることができる。この場合、周囲に受容部のために設ける余分なスペースを必要とせず、而も、導入された水性液体を根生育体の内部に可及的に広くゆきわたらせて栽培対象植物の根の育成に効果的に利用し得る。
【００６５】
受容部は、例えば、上方又は斜め上方に開口する凹部（例えば、水系液体を受容して所要量を溜めることができる凹部）とし、凹部内に、根生育体保持部に（例えば開口部等により直接に又は導水路等を介して）通じる部分を有するものとすることができる。
【００６６】
受容部は、高さ位置において、地上部用開口部及び根生育体保持部の一方若しくは両方より上方であるか又は前記両者の一方若しくは両方と同等であって、貯留凹部よりも上方に位置するものとすることができる。
【００６７】
(6) 流出部は、貯留凹部の側方に（例えば、植物栽培器に前記のような前後がある場合、貯留凹部に対し後側に、又は左側若しくは右側に）位置し、根生育体保持部において貯留凹部から溢れる水性液体が外部（植物栽培器の外部）へ流下し得るものである。なお、貯留凹部から溢れる水性液体に由来する以外の水性液体も流出部から外部へ流下し得るものであってもよい。
【００６８】
流出部は、例えば、貯留凹部から溢れる水性液体を受容して所要量を溜めることができる流出凹部と、流出凹部内から外部へ水系液体が流下し得る流出孔部を有するものとすることができる。
【００６９】
なお、根生育体は、流出部には位置しないものとすることができる。
【００７０】
流出部から水系液体が流下する水平方向位置は、受容部が水系液体を受容し得る水平方向範囲内であることが好ましい。
【００７１】
この場合、例えば、本発明に係る複数の同一の植物栽培器を、水平方向位置が一致するように上下各位置に設けることにより（或いは、複数の同一の植物栽培器をこのように設けて得られた植物栽培装置において）、上方位置に設けられた植物栽培器の流出部より流下する余分な水性液体を、下方位置の植物栽培器の受容部が受容するものとして効率的に植物の育成を行うことができる。
【００７２】
また、前記のように流出部から水系液体が流下する水平方向位置は、受容部が水系液体を受容し得る水平方向範囲内である場合においても、そうでない場合においても、例えば、本発明に係る複数の植物栽培器を上下各位置に設け、上方位置に設けられた植物栽培器の流出部より流下する余分な水性液体を、下方位置の植物栽培器の受容部が受容するように配置することにより（或いは、このようにして得られた植物栽培装置において）、効率的に植物の育成を行うことができる。
【００７３】
(7) 植物栽培器の垂直横断面形状は、例えば、両対角線が垂直状及び水平状である略正方形状、一方の対角線が垂直状若しくは水平状である略長方形状若しくは略正方形状、何れの対角線も傾斜状である略長方形状若しくは略正方形状とすることができる。
【００７４】
また植物栽培器は、例えば、水平横方向が前後方向と同等又は前後方向の２乃至３倍程度とすることができる他、５乃至６倍以上の横長状とし、根生育体保持部も同様に水平横方向が前後方向と同等又は前後方向の２乃至３倍程度とすることができる他、５乃至６倍以上の横長状とすることができる。
【００７５】
また、複数の植物栽培器が（例えば垂直方向の）隔壁部（例えば隣接する植物栽培器同士が共有する隔壁部）を介して隣接連結された態様とすることもできる。
【符号の説明】
【００７６】
Ａ    植物栽培器
Ｂ    根生育体保持部
Ｃ    地上部用開口部
Ｄ    受容部
Ｄａ  導入孔部
Ｅ    貯留凹部
Ｆａ  根生育体
Ｆｂ  根生育体
Ｇ    壁体
Ｈａ  流出凹部
Ｈｂ  流出孔部
Ｋ    植物栽培器
Ｍ    取付部材
Ｐａ  端側板部
Ｐｂ  下前板部
Ｐｃ  下中前板部
Ｐｄ  下中後板部
Ｐｅ  下後板部
Ｐｆ  上後板部
Ｐｇ  上中板部
Ｐｈ  上前板部
Ｐｎ  潅水パイプ保持部
Ｒ    植物栽培装置
Ｔ    潅水パイプ
Ｗ    水
【図１】
2019149991.tif 000003
【図２】
2019149991.tif 000004
【図３】
2019149991.tif 000005
【図４】
2019149991.tif 000006